(57)【要約】【課題】冷却水の注水時に電動ポンプを保護する。【解決手段】ＥＣＵ１００は、吐出量制御処理を実行し、冷却装置３００の電動Ｗ／Ｐ３１０における冷却水の吐出量を制御する。注水ボタン４００が操作される等して注水を実行する旨が指定された場合、ＥＣＵ１００は、この吐出量を規定するポンプ回転数Ｒｐの目標値を、非注水時における省燃費モードに従った目標ポンプ回転数ＲｐＢよりも総じて高い目標ポンプ回転数ＲｐＡに設定し、注水性を向上させる。一方、ＥＣＵ１００は、吐出量制御処理と並行してエア噛み検出処理を実行する。エア噛み検出処理において、ＥＣＵ１００は、ポンプ回転数Ｒｐと目標ポンプ回転数ＲｐＡとの差分たる回転数偏差ΔＲｐが閾値ΔＲｐｔｈよりも大きい場合にエア噛みが発生していると判別する。エア噛みが発生している場合、ＥＣＵ１００は、電動Ｗ／Ｐ３１０を間欠運転する。【選択図】図７
2008184996.tif 000002
【特許請求の範囲】
【請求項１】
電動ポンプを備え、該電動ポンプにより内燃機関を含む被冷却系に対し冷却水を循環供給することによって該被冷却系を冷却可能な冷却装置を制御する冷却制御装置であって、
前記内燃機関における所定の運転条件に応じて前記電動ポンプの目標回転数を決定する目標回転数決定手段と、
前記電動ポンプの回転数が前記目標回転数となるように前記電動ポンプを制御する第１の制御手段と、
前記電動ポンプの実回転数を特定する実回転数特定手段と、
前記冷却水の注水が行われる場合に、前記目標回転数と前記実回転数との相対関係に基づいて、間欠運転が行われるように前記電動ポンプを制御する第２の制御手段と
を具備することを特徴とする冷却制御装置。
【請求項２】
前記運転条件は、前記内燃機関の機関回転数及び負荷のうち少なくとも一方を含む
ことを特徴とする請求項１に記載の冷却制御装置。
【請求項３】
前記第２の制御手段は、前記実回転数が前記目標回転数よりも高い状態が所定時間以上継続した場合に前記間欠運転が行われるように電動ポンプを制御する
ことを特徴とする請求項１又は２に記載の冷却制御装置。
【請求項４】
前記第２の制御手段は、前記実回転数と前記目標回転数との偏差が所定の許容値以上である場合に前記間欠運転が行われるように電動ポンプを制御する
ことを特徴とする請求項１から３のいずれか一項に記載の冷却制御装置。
【請求項５】
前記第２の制御手段は、前記注水が行われる場合の少なくとも一部として、前記注水を実行すべき旨を表す所定の入力がなされた場合に、前記相対関係に基づいて電動ポンプを制御する
ことを特徴とする請求項１から４のいずれか一項に記載の冷却制御装置。
【請求項６】
前記目標回転数決定手段は、前記注水が行われる場合に、前記注水が行われない場合と比較して高くなるように前記目標回転数を決定する
ことを特徴とする請求項１から５のいずれか一項に記載の冷却制御装置。
【発明の詳細な説明】
【技術分野】
【０００１】
本発明は、冷却水により例えば内燃機関等を冷却する冷却装置を制御する冷却制御装置の技術分野に関する。
【背景技術】
【０００２】
この種の装置として、不必要なポンプ仕事の低減を図るものが提案されている（例えば、特許文献１参照）。特許文献１に開示された液冷式内燃機関の冷却装置（以下、「従来の技術」と称する）によれば、ポンプの吐出流量を内燃機関の回転数と負荷とに基づいて決定される目標吐出流量となるように制御することによって、例えばエンジン負荷が小さくなるほど、吐出流量を小さくすることができ、不必要なポンプ仕事を低減させることが可能であるとされている。
【０００３】
尚、運転状態に応じて電動ウォータポンプの回転数制御及び流量制御弁の開弁制御を行う技術も提案されている（例えば、特許文献２参照）。
【０００４】
また、水温が所定値以下の場合は電動ウォータポンプを間欠運転させる技術も提案されている（例えば、特許文献３参照）。
【０００５】
【特許文献１】特開２０００−４５７７４号公報
【特許文献２】特開２００５−３６７２９号公報
【特許文献３】特開２００６−２１４２８１号公報
【発明の開示】
【発明が解決しようとする課題】
【０００６】
従来の技術において冷却水の注水を行う場合、例えば目標吐出量を多く設定することにより注水性を高めることが可能であるが、その反面、ポンプの軸受け等に冷却水を供給できずに、所謂エア噛みが生じて、ポンプ或いはポンプに加え内燃機関に、例えば焼き付き等の不具合が発生しかねない。即ち、従来の技術には、場合によっては冷却水の注水を安全に行い難いという技術的な問題点がある。
【０００７】
本発明は上述した問題点に鑑みてなされたものであり、冷却水の注水時に電動ポンプを保護し得る冷却制御装置を提供することを課題とする。
【課題を解決するための手段】
【０００８】
上述した課題を解決するため、本発明に係る冷却制御装置は、電動ポンプを備え、該電動ポンプにより内燃機関を含む被冷却系に対し冷却水を循環供給することによって該被冷却系を冷却可能な冷却装置を制御する冷却制御装置であって、前記内燃機関における所定の運転条件に応じて前記電動ポンプの目標回転数を決定する目標回転数決定手段と、前記電動ポンプの回転数が前記目標回転数となるように前記電動ポンプを制御する第１の制御手段と、前記電動ポンプの実回転数を特定する実回転数特定手段と、前記冷却水の注水が行われる場合に、前記目標回転数と前記実回転数との相対関係に基づいて、間欠運転が行われるように前記電動ポンプを制御する第２の制御手段とを具備することを特徴とする。
【０００９】
本発明の車両に備わる「内燃機関」とは、例えば複数の気筒を有し、当該複数の気筒の各々における燃焼室において、例えばガソリン、軽油或いは各種アルコール等の燃料が燃焼した際に発生する爆発力たる動力を、例えばピストン及びコネクティングロッド等の機械的な伝達経路を経て、例えばクランク軸等の出力軸を介して動力として出力可能な機関を包括する概念であり、例えば２サイクル或いは４サイクルレシプロエンジン等を指す。この内燃機関を含む被冷却系は、冷却装置によって冷却される。
【００１０】
尚、「被冷却系」とは、内燃機関を少なくとも含む限りにおいて、例えば動作時に発熱を伴う、或いは外部からの熱輻射に晒される、内燃機関とは異なる部位、機構又は装置を適宜含み得る概念である。
【００１１】
本発明において「冷却装置」とは、少なくとも電気的に駆動される部位を含んで構成される、例えば遠心式或いは渦巻き式等の各種形態を採り得る電動ポンプを少なくとも備え、被冷却系に対し例えばＬＬＣ（Long Life Coolant）等の冷却水を、当該電動ポンプによる例えば物理的、機械的、機構的、電気的又は化学的な作用等により、例えば、モータ等によって回転駆動されるポンプインペラの回転によって作動流体たる冷却水を吐出すること等により循環供給することによって当該被冷却系を冷却することが可能な手段を包括する概念である。
【００１２】
このような概念により規定される冷却装置では、例えば金属製又は樹脂製の冷却水配管やシリンダ周囲に張り巡らされたウォータジャケット等の物理形態を採り得る循環経路等に当該電動ポンプが設置され、当該循環経路に冷却水が吐出されること等により冷却水が循環供給される。この際、主として被冷却系と冷却水との間でなされる熱交換により被冷却系が冷却される。
【００１３】
本発明に係る冷却制御装置によれば、その動作時には、例えばＥＣＵ（Electronic Control Unit：電子制御ユニット）等の各種処理ユニット、各種コントローラ或いはマイコン装置等各種コンピュータシステム等の形態を採り得る目標回転数決定手段の作用により、例えば機関回転数や負荷等、内燃機関における所定の運転条件に応じて電動ポンプの目標回転数が決定される。
【００１４】
ここで、本発明に係る「回転数」とは、回転数そのものを含み、好適な一形態として、例えば単位時間当たりの回転数（即ち、別言すれば回転速度）等、時間概念と対応付けられてなる回転数を含んでなる概念である。目標回転数とは、このような概念により規定される回転数の制御上の目標値を指し、例えば、予め実験的に、経験的に、理論的に又はシミュレーション等に基づいて電動ポンプを可及的に効率的に（例えば、電力資源を可及的に節約し得るように）動作させ得るものとして設定されたマップ、アルゴリズム或いは算出式等に従って決定される。即ち、目標回転数は、例えばこのようなマップ等からその時点の内燃機関の運転条件に対応する一の値が選択されることによって、或いは、例えばこのようなアルゴリズムや算出式等に従って論理演算や数値演算が実行されることによって決定される。
【００１５】
尚、「電動ポンプの回転数」とは、電動ポンプにおいて、冷却水の循環供給量（例えば、吐出量）と一対一、一対多、多対一又は多対多に対応付けられ得る、回転可能な部位の回転数を指し、好適には、電動ポンプの動力源として機能し得るモータの、或いは当該モータの回転に伴って回転する例えばポンプインペラ等の回転数を指す。
【００１６】
このように目標回転数が決定されると、例えばＥＣＵ等の各種処理ユニット、各種コントローラ或いはマイコン装置等各種コンピュータシステム等の形態を採り得る第１の制御手段により、電動ポンプの回転数がこの決定された目標回転数となるように、例えば、電動ポンプの一部として、又は電動ポンプと少なくとも一部が別体として構成された然るべき駆動手段の物理的、機械的、機構的又は電気的な駆動制御等を介して、電動ポンプが制御される。
【００１７】
ここで特に、冷却水の注水時、例えば、冷却水の交換時等には、例えばリザーバタンク、ラジエータホース、ウォータジャケット或いは各種冷却水配管等を含む循環経路から、その多寡によらず一時的に冷却水が抜き取られる等して、冷却水の循環経路に空気等の気体が混入又は発生し易い。一方、電動ポンプは、物理的に複雑な構成を採り易いこのような循環経路から好適に冷却水を抜き取る要請等から、このような注水時にも駆動されることが多い。
【００１８】
ところが、電動ポンプでは、冷却水と較べてこのように混入又は発生した空気が吐出され難いため、電動ポンプにおける回転駆動部位或いは当該回転駆動部位に対応する部位、例えば上述したモータ等における軸受け部分等に、このように混入又は発生した空気が滞留し、所謂「エア噛み」と称される状態が生じ易い。このようなエア噛みが生じている部位では冷却水が相対的に不足し、必然的に当該軸受け部の焼き付き等、過剰な熱負荷に起因する各種の不具合が発生し易くなる。特に、注水に係る注水性を相対的に向上させるために、電動ポンプの回転数を相対的に高くした場合には、このような問題が顕著に生じ得る。
【００１９】
そこで、本発明に係る冷却制御装置は、迅速且つ安全に冷却水の注水を行わしめるため、更に以下の如き構成を有する。即ち、本発明の冷却制御装置には、例えばＥＣＵ等の各種処理ユニット、各種コントローラ或いはマイコン装置等各種コンピュータシステム等の形態を採り得る実回転数特定手段が備わり、電動ポンプの実回転数が特定される。
【００２０】
尚、本発明における「特定」とは、例えば、何らかの検出手段を介して直接的に又は間接的に物理的数値又は物理的数値に対応する例えば電気信号等として検出すること、予め然るべき記憶手段等に記憶されたマップ等から該当する数値を選択する又はそのような選択を介して推定すること、それら検出された物理的数値若しくは電気信号又は選択若しくは推定された数値等から、予め設定されたアルゴリズムや計算式等に従って導出又は推定すること、或いはこのように検出、選択、推定又は導出された値等を単に電気信号等として取得すること等を包括する広い概念である。このような概念の範囲内において、実回転数特定手段は、例えば、電動ポンプに付設された回転センサ等の各種センサから当該実回転数に対応する電気信号等を取得することにより実回転数を特定する。
【００２１】
一方、本発明に係る冷却制御装置には、例えばＥＣＵ等の各種処理ユニット、各種コントローラ或いはマイコン装置等各種コンピュータシステム等の形態を採り得る第２の制御手段が備わる、第２の制御手段は、冷却水の注水が行われる場合に、目標回転数と実回転数との相対関係に基づいて、間欠運転が行われるように電動ポンプを制御する。
【００２２】
電動ポンプの回転数は、第１の制御手段によって目標回転数となるように制御されるが、エア噛みの発生に際しては、空気の粘性抵抗が冷却水の粘性抵抗と比較して小さいこと等に起因して、電動ポンプの回転数は目標回転数に対し上昇し易い。即ち、エア噛みの度合いは、好適には電動ポンプの回転数の相対的な上昇の度合いと相互に一対一、一対多、多対一又は多対多の関係を有し得る。
【００２３】
従って、目標回転数と実回転数との相対関係は、電動ポンプの過回転に起因する、言い換えれば過剰な熱負荷に起因する電動ポンプの不具合が、例えば既に発生しているか否かを、又は近未来的に発生するか否かを、或いは電動ポンプが、電動ポンプを保護する観点から何らかの対策を施すべき状況にあるか否かを、夫々判断する指標となり得る。
【００２４】
ここで、本発明に係る「相対関係」とは、熱負荷の観点からみた電動ポンプの回転状態、例えば、電動ポンプが過回転状態にあるか否かを少なくとも実践上十分な精度を有しつつ推定し得る関係を包括する概念であり、例えば、実回転数又は目標回転数が、夫々目標回転数又は実回転数に対し、大きいか小さいかといった定性的な関係を含み、好適には実回転数と目標回転数との偏差等といった指標値によって表される定量的な関係を指す。
【００２５】
一方、このような相対関係に基づいてなされる間欠運転とは、例えば上述した目標回転数に従って、又は目標回転数とは別に設定される他の目標回転数に従って、或いは特に目標値としての回転数が設定されることなく、少なくとも冷却水を幾らかなり循環供給し得る程度に比較的ランダムに設定される回転数となるように電動ポンプを稼動させる通常の運転期間の一部が、過回転による不具合を少なくとも実質的にみて進行させない程度に低回転領域で電動ポンプを稼動させる運転期間に置換されてなる運転形態を包括する概念であり、好適な一形態としては、このような通常の運転期間と低回転の運転期間とが交互に訪れるようになされる運転形態を指す。また、低回転の運転期間における電動ポンプの好適な動作形態としては、電動ポンプが停止されてもよいし、又は実質的に回転数がゼロとみなし得る程度に低い回転領域で稼動せしめられてもよい。
【００２６】
このような間欠運転により、電動ポンプに加わる熱負荷が相対的にみて軽減され、注水時に電動ポンプを物理的に、機械的に、電気的に又は化学的に保護することが可能となる。また、間欠運転の実行中は、電動ポンプの回転数が相対的に高い期間と相対的に低い期間とが適宜切り替わるため、冷却水の脈動が発生し易い。このような脈動によって、何ら間欠運転がなされない場合と較べて電動ポンプのエア噛みが解消され易くなる。即ち、本発明に係る冷却制御装置によれば、電動ポンプを効率的且つ効果的に保護することが可能となるのである。
【００２７】
尚、第１の制御手段と第２の制御手段とがいずれも電動ポンプを制御する点に鑑みれば、第１の制御手段と第２の制御手段とは、その物理的、機械的又は電気的な構成の少なくとも一部が相互に共通であってもよい。
【００２８】
本発明に係る冷却制御装置の一の態様では、前記運転条件は、前記内燃機関の機関回転数及び負荷のうち少なくとも一方を含む。
【００２９】
この態様によれば、電動ポンプの目標回転数が、内燃機関の機関回転数及び負荷のうち少なくとも一方に応じて決定される。ここで、「負荷」とは、例えば、アクセル開度、スロットル開度、吸入空気量或いは負荷率等、内燃機関の負荷と相関する各種の指標値によって表され得る趣旨である。
【００３０】
機関回転数及び負荷は、内燃機関における熱の発生の度合い、別言すれば冷却の必要の度合いと相関するため、このように機関回転数及び負荷の少なくとも一方、望ましくは両方に応じて目標回転数が設定される場合には、電動ポンプを効率的且つ効果的に、より具体的な一例として、例えば吐出量又はポンプの回転数等を含む概念としての冷却水の循環供給量が可及的に最小となるように駆動することが可能となる。即ち、電力資源を有効に利用することが可能となる。
【００３１】
本発明に係る冷却制御装置の他の態様では、前記第２の制御手段は、前記実回転数が前記目標回転数よりも高い状態が所定時間以上継続した場合に前記間欠運転が行われるように電動ポンプを制御する。
【００３２】
間欠運転が行われる場合には、冷却水の循環供給量は相対的に低下するから、電動ポンプの保護が図れる反面、冷却水の注水性は低下し易い。この態様によれば、エア噛みとは異なる何らかの一時的な理由で電動ポンプの実回転数が目標回転数を上回っている、或いはエア噛みが発生したとしても十分に短い期間で解消された等といった間欠運転の必要性が低い状況における間欠運転の実行を抑制しつつ、且つ熱負荷に起因する電動ポンプの不具合については確実に防止し得るため、実践上有益である。
【００３３】
本発明に係る冷却制御装置の他の態様では、前記第２の制御手段は、前記実回転数と前記目標回転数との偏差が所定の許容値以上である場合に前記間欠運転が行われるように電動ポンプを制御する。
【００３４】
電動ポンプは、第１の制御手段によって目標回転数が維持されるように、例えば予め実験的に、経験的に、理論的に又はシミュレーション等に基づいて電動ポンプの駆動状態を規定する制御量と回転数とが実践上問題が生じない程度の精度が担保された状態で対応付けられてなるマップ等に従って、更には例えば実回転数特定手段により特定される実回転数をフィードバックする形で適宜制御量の補正又は学習等を行いつつ制御される。然るに、実回転数と目標回転数とは必ずしも相互に一致するものではなく、制御上、一定又は不定の偏差を伴い得る。また、この偏差の大きさはエア噛みの度合いと相関し得るが、偏差が相対的に小さい範囲では、エア噛みが生じていたとしても電動ポンプに不具合を招く程度の規模でない可能性もある。
【００３５】
従って、当該偏差が、例えば予め実験的に、経験的に、理論的に又はシミュレーション等に基づいて電動ポンプの不具合を実践上顕在化させない程度の偏差等として設定され得る許容値以上である場合に間欠運転がなされることによって、注水性を維持しつつ電動ポンプの保護を図るといった高い利益が提供される。
【００３６】
本発明に係る冷却制御装置の他の態様では、前記第２の制御手段は、前記注水が行われる場合の少なくとも一部として、前記注水を実行すべき旨を表す所定の入力がなされた場合に、前記相対関係に基づいて電動ポンプを制御する。
【００３７】
この態様によれば、当該所定の入力に基づいて注水時であるか否かを簡便に且つ正確に判別し得るため好適である。尚、「入力がなされた場合」とは、例えば車室内に設置された、ボタン、スイッチ、ツマミ、レバー又はダイアル等の物理的な操作手段が、運転者等における注水を行う旨の意思等に基づいて人為的に操作された場合や、このような人為的な操作を介することなく、例えば何らかの制御装置やコントローラ等によって、注水時であるか否かを実践上問題ない程度の精度を保って判別し得るものとして定められてなる判断基準等に従って例えば電気信号やコマンド等が自動的に出力された場合等を含む広い概念である。
【００３８】
本発明に係る冷却制御装置の他の態様では、前記目標回転数決定手段は、前記注水が行われる場合に、前記注水が行われない場合と比較して高くなるように前記目標回転数を決定する。
【００３９】
この態様によれば、注水が行われる場合には、目標回転数が相対的にみて高く設定されるため、冷却水の循環供給量が相対的に増加して注水性が向上する。尚、この場合、好適には、注水時以外の少なくとも一部において、電動ポンプの目標回転数は、電力資源の使用量を可及的に抑制し得るように決定されていてもよい。この場合、効率的且つ効果的に電動ポンプの駆動状態が制御されるため好適である。
【００４０】
本発明のこのような作用及び他の利得は次に説明する実施形態から明らかにされる。
【発明を実施するための最良の形態】
【００４１】
＜発明の実施形態＞
以下、適宜図面を参照して本発明の好適な実施形態について説明する。
【００４２】
＜実施形態の構成＞
始めに、図１を参照して、本発明の一実施形態に係る車両１０の構成について説明する。ここに、図１は、車両１０の構成を概念的に表してなる概略構成図である。
【００４３】
図１において、車両１０は、ＥＣＵ１００、エンジン２００、冷却装置３００及び注水ボタン４００を備える。
【００４４】
ＥＣＵ１００は、図示せぬＣＰＵ（Central Processing Unit）、ＲＯＭ（Read Only Memory）及びＲＡＭ（Random Access Memory）等を備え、車両１０の動作全体を制御することが可能に構成された、本発明に係る「冷却制御装置」の一例である。ＥＣＵ１００は、ＲＯＭに格納された制御用のプログラムに従って、後述する吐出量制御処理及びエア噛み検出処理を夫々実行することが可能に構成される。
【００４５】
エンジン２００は、本発明に係る「内燃機関」の一例たるガソリンエンジンである。ここで、図２を参照し、エンジン２００の詳細な構成について説明する。ここに、図２は、エンジン２００の模式図である。尚、図２において、図１と重複する箇所には同一の符合を付してその説明を適宜省略することとする。
【００４６】
図２において、エンジン２００は、気筒２０１内において燃焼室に点火プラグ（符号省略）の一部が露出してなる点火装置２０２による点火動作を介して混合気を燃焼せしめると共に、係る燃焼による爆発力に応じて生じるピストン２０３の往復運動を、コネクティングロッド２０４を介してクランクシャフト２０５の回転運動に変換することが可能に構成されている。また、クランクシャフト２０５近傍には、クランクシャフト２０５の回転位置（即ち、クランク角）を検出するクランクポジションセンサ２０６が設置されている。クランクポジションセンサ２０６は、ＥＣＵ１００と電気的に接続されており、ＥＣＵ１００は、クランクポジションセンサ２０６によって検出されたクランク角に基づいて、点火装置２０２の点火時期等を制御することが可能に構成されている。また、ＥＣＵ１００は、クランクシャフト２０５の回転位置に基づいてエンジン２００の機関回転数Ｎｅを算出することが可能に構成されている。
【００４７】
エンジン２００において、外部から吸入された空気は吸気管２０７を通過し、吸気ポート２１３において、インジェクタ２１４から噴射された燃料と混合されて前述の混合気となる。燃料は、燃料タンク２１５に貯留されており、フィードポンプ２１７の作用により、デリバリパイプ２１６を介してインジェクタ２１４に圧送供給されている。インジェクタ２１４は、ＥＣＵ１００と電気的に接続されており、この供給される燃料を、ＥＣＵ１００の制御に従って吸気ポート２１３に噴射することが可能に構成されている。尚、燃料を噴射する噴射手段の形態は、図示するような所謂吸気ポートインジェクタの構成を採らずともよく、例えば、フィードポンプ或いは他の低圧ポンプにより圧送される燃料の圧力を更に高圧ポンプによって昇圧せしめ、高温高圧の気筒２０１内部へ燃料を直接噴射することが可能に構成された、所謂直噴インジェクタ等の形態を有していてもよい。
【００４８】
気筒２０１内部と吸気管２０７とは、吸気バルブ２１８の開閉によって連通状態が制御されている。気筒２０１内部で燃焼した混合気は排気となり吸気バルブ２１８の開閉に連動して開閉する排気バルブ２１９の開弁時に排気ポート２２０を介して排気管２２１に導かれる。
【００４９】
一方、吸気管２０７上には、クリーナ２０８が配設されており、外部から吸入される空気が浄化される構成となっている。また、クリーナ２０８の下流側（シリンダ側）には更に、エアフローメータ２０９が配設されている。エアフローメータ２０９は、ホットワイヤー式と称される形態を有しており、吸入された空気の質量流量を直接検出することが可能に構成されている。尚、エアフローメータ２０９は、ＥＣＵ１００と電気的に接続されており、検出された吸入空気の質量流量は、ＥＣＵ１００によって絶えず、或いは一定又は不定の周期で把握される構成となっている。
【００５０】
吸気管２０７におけるエアフローメータ２０９の下流側には、気筒２０１内部へ吸入される空気に係る吸入空気量を調節するスロットルバルブ２１０が配設されている。このスロットルバルブ２１０には、スロットルポジションセンサ２１２が電気的に接続されており、その開度たるスロットル開度を検出することが可能に構成されている。
【００５１】
スロットバルブモータ２１１は、ＥＣＵ１００と電気的に接続され、スロットルバルブ２１０を駆動することが可能に構成されたモータである。ＥＣＵ１００は、車両１０に備わるアクセルポジションセンサ１１によって検出される、不図示のアクセルペダルの操作量（以下、適宜「アクセル開度」等と称する）に基づいて、スロットルバルブモータ２１１の駆動状態を制御することが可能に構成されており、これによりスロットルバルブ２１０の開閉状態（即ち、スロットル開度）が制御される構成となっている。尚、スロットルバルブ２１０は、上述したように一種の電子制御式スロットルバルブであり、スロットル開度は、ＥＣＵ１００により運転者の意思（即ち、アクセル開度）とは無関係に制御され得る。
【００５２】
排気管２２１には、三元触媒２２３及び床下触媒２２４が設置されている。三元触媒２２３は、エンジン２００から排出されるＣＯ（一酸化炭素）、ＨＣ（炭化水素）、及びＮＯｘ（窒素酸化物）を夫々浄化することが可能な触媒である。また床下触媒２２４は、車両１０のフロア下に設置された三元触媒であり、三元触媒２２３によって除去しきれない例えばＮＯｘ等を顕著に除去し得るように構成されている。
【００５３】
排気管２２１における三元触媒２２３の上流側には、空燃比センサ２２２が配設されている。空燃比センサ２２２は、排気ポート２２０を介して排出される排気ガスから、エンジン２００の空燃比を検出することが可能に構成されている。空燃比センサ２２２は、ＥＣＵ１００と電気的に接続されており、検出された空燃比は、ＥＣＵ１００によって絶えず、或いは一定又は不定の周期で把握される構成となっている。また、気筒２０１を収容するシリンダブロックに設置されたウォータジャケットには、主としてエンジン２００を冷却するために循環供給される冷却水の温度（冷却水温）を検出するための水温センサ２２５が配設されている。水温センサ２２５は、ＥＣＵ１００と電気的に接続されており、検出された冷却水温は、ＥＣＵ１００によって絶えず、或いは一定又は不定の周期で把握される構成となっている。
【００５４】
図１に戻り、冷却装置３００は、主として電動ウォータポンプ（以下、適宜「電動Ｗ／Ｐ」と称する）３１０、冷却水循環路３２０、サーモスタット３３０及びラジエータ３５０を備えた、本発明に係る「冷却装置」の一例である。
【００５５】
電動Ｗ／Ｐ３１０は、本発明に係る「電動ポンプ」の一例たる渦巻き式のポンプである。電動Ｗ／Ｐ３１０は、不図示モータの回転力によって冷却水を吸引し、モータの回転数（即ち、回転速度であり、本発明に係る「電動ポンプの回転数」の一例）に応じた量の冷却水を吐出することが可能に構成されている。
【００５６】
尚、このモータは、不図示の電力供給源（例えば、車載用１２Ｖバッテリ、或いは他のバッテリ）等から電力の供給を受け、不図示のモータ駆動系を介して供給される制御電圧（又は電流）のデューティ比ＤＴＹに応じて、その回転数が増減制御される構成となっている。また、このモータ駆動系は、ＥＣＵ１００と電気的に接続された状態にあり、ＥＣＵ１００によって上述したデューティ比ＤＴＹを含む動作状態が制御される構成となっている。即ち、電動Ｗ／Ｐ３１０は、ＥＣＵ１００によってその動作状態が制御される構成となっている。
【００５７】
一方、電動Ｗ／Ｐ３１０におけるモータの回転数（以下、適宜「ポンプ回転数Ｒｐ」と称する）は、電動Ｗ／Ｐ３１０に近接して配置された回転センサ３１１により検出される構成となっている。回転センサ３１１は、ＥＣＵ１００と電気的に接続されており、検出されたポンプ回転数Ｒｐは、ＥＣＵ１００によって絶えず、或いは一定又は不定の周期で把握される構成となっている。
【００５８】
冷却水循環路３２０は、シリンダブロック周囲に張り巡らされた前述したウォータジャケットを含み、電動Ｗ／Ｐ３１０によって吐出される冷却水の供給経路を規定する、例えば金属製或いは樹脂製の配管部材である。また、冷却水循環路３２０は、サーモスタット３３０においてラジエータ３５０へと分岐する分岐管３４０と、ラジエータ３５０からサーモスタット３３０へ戻る分岐管３６０を含んで構成される。
【００５９】
サーモスタット３３０は、冷却水温を安定せしめるために設けられた、温度調節手段である。サーモスタット３３０の内部には、ラジエータ３５０に連通する前述した分岐管３４０及び３６０と冷却水循環路３２０の本管との間の連通状態を制御するための制御弁が設けられており、サーモスタット３３０は、係る制御弁の弁体の開閉状態を制御することにより、ラジエータ３５０に流入する冷却水の流量を調節することが可能に構成される。尚、サーモスタット３３０は、ＥＣＵ１００と電気的に接続されており、その動作はＥＣＵ１００により上位に制御される構成となっている。尚、係る制御弁は、例えば冷却水温が所定値未満である場合に全閉となるように、また冷却水温が当該所定値以上である場合には全開となるように制御される構成となっている。
【００６０】
尚、サーモスタット３３０により制御弁が閉じられた場合には、サーモスタット３３０における冷却水の流れは図示破線のようになる。一方で、サーモスタット３３０により制御弁が開弁された場合には、サーモスタット３３０における冷却水の流れは図示実線の如くになる。
【００６１】
ラジエータ３５０は、分岐管３４０及び３６０と連通してなる複数のウォータパイプが配列してなると共に、当該ウォータパイプの外周に多数の波板状のフィンを備え、当該ウォータパイプ内を冷却水が流れる際に、当該フィンを介した大気との熱交換により、即ち冷却水の熱を外界に放熱することによって、冷却水を相対的に冷却することが可能に構成されている。
【００６２】
注水ボタン４００は、運転者等による操作を可能とするために車室内の例えばコンソールパネル等に設置されてなる操作手段であり、冷却水の吐出態様を、後述する注水モードと省燃費モードとの間で切り替えることが可能に構成される。注水ボタン４００は、押下された状態で注水モードが選択された旨を、押下されていない状態で省燃費モードが選択された旨を、夫々ＥＣＵ１００に対し電気信号を介して伝達することが可能に構成されている。即ち、注水ボタン４００は、本発明に係る「注水を実行すべき旨を表す所定の入力」をなし得るように構成されている。
【００６３】
＜実施形態の動作＞
冷却装置３００における電動Ｗ／Ｐ３００の冷却水吐出量は、ＥＣＵ１００により実行される吐出量制御処理によって制御される。ここで、図３を参照し、吐出量制御処理の詳細について説明する。ここに、図３は、吐出量制御処理のフローチャートである。
【００６４】
図３において、ＥＣＵ１００は、イグニッションがオン状態であるか否かを判別する（ステップＳ１０１）。即ち、エンジン２００の始動要求があるか否かを判別する。イグニッションがオン状態でない場合（ステップＳ１０１：ＮＯ）、ＥＣＵ１００はエンジン２００を始動させることなく待機する。
【００６５】
イグニッションがオン状態である場合（ステップＡＳ１０１：ＹＥＳ）、ＥＣＵ１００は、エンジン２００を始動させ、機関回転数ＮＥ及びアクセル開度Ａｃｃを取得する（ステップＳ１０２）。この際、ＥＣＵ１００は、クランクポジションセンサ２０６によって検出されるクランクシャフト２０５の回転状態に基づいた数値演算の結果として機関回転数ＮＥを取得すると共に、アクセルポジションセンサ１１から入力されるアクセル開度Ａｃｃを取得する。尚、機関回転数ＮＥは、例えばクランクシャフト２０５等の回転数を検出するＮＥセンサ等の検出手段を介して取得されてもよい。
【００６６】
尚、ステップＳ１０２に係る処理は、これ以降、所定の周期で繰り返し実行される。即ち、ＥＣＵ１００は実質的に常に機関回転数ＮＥ及びアクセル開度Ａｃｃの取得を継続する。
【００６７】
次に、ＥＣＵ１００は、注水ボタン４００を介して注水モードが選択されているか否かを判別する（ステップＳ１０３）。注水モードが選択されていない場合（ステップＳ１０３：ＮＯ）、即ち、運転者による積極的な意思の有無によらず省燃費モードが選択されている場合、ＥＣＵ１００は、省燃費モードに対応する電動Ｗ／Ｐ３１０のポンプ回転数Ｒｐの目標値である目標回転数ＲｐＢを決定する（ステップＳ１０５）。
【００６８】
ここで、図４を参照し、目標回転数ＲｐＢの詳細について説明する。ここに、図４は、目標回転数ＲｐＢを規定するマップを概念的に表してなる模式図である。
【００６９】
図４において、目標回転数ＲｐＢを規定するマップは、縦軸及び横軸に夫々アクセル開度Ａｃｃ（即ち、本発明に係る「負荷」の一例）及び機関回転数ＮＥを配してなる座標系上にマトリクス状に目標回転数ＲｐＢを配することにより形成される。図４では、目標回転数ＲｐＢとして、ＲｐＢ１，ＲｐＢ２（ＲｐＢ２＞ＲｐＢ１），・・・，ＲｐＢＮ（ＲｐＢＮ＞ＲｐＢ（Ｎ−１）），・・・，ＲｐＢ１３（ＲｐＢ１３＞ＲｐＢ１２）までの目標回転数が設定されている。これら各目標回転数ＲｐＢの高低関係から明らかなように、当該マップにおいて相互に等しい目標回転数を結んでなる等回転線（図示破線参照）は、図４における左下方から右上方にかけて相互に等間隔に配列する。即ち、図４に示すマップにおける右上方部分（即ち、高回転高負荷に相当する運転領域）において、目標回転数ＲｐＢは最も高い値となる。
【００７０】
図３のステップＳ１０５に係る処理において、ＥＣＵ１００は、ステップＳ１０２において取得された機関回転数ＮＥ及びアクセル開度Ａｃｃに対応する値を、この目標回転数ＲｐＢに係るマップから選択的に取得し、目標回転数ＲｐＢを決定する。ここで、当該マップにおける各目標回転数ＲｐＢは、電動Ｗ／Ｐ３１０に電力を供給する電力供給源に係る電力使用量を節約すべく可及的に低く設定されている。従って、当該マップを参照することにより電力の使用量が抑制され、エンジン２００の燃費を向上させることが可能となる。即ち、省燃費が実現される。
【００７１】
図３に戻り、目標回転数ＲｐＢが設定されると、ＥＣＵ１００は電動Ｗ／Ｐ３１０のポンプ回転数Ｒｐが係る目標回転数ＲｐＢとなるように、電動Ｗ／Ｐ３１０に供給される電圧のデューティ比ＤＴＹを決定し、且つこの決定されたデューティ比ＤＴＹに従って前述したモータ駆動系を制御することにより、電動Ｗ／Ｐ３１０を通常運転する（ステップＳ１０６）。ここで、通常運転とは、後述する間欠運転と相対するものであり、決定された目標回転数が得られるように電動Ｗ／Ｐ３１０を運転する通常の運転態様を指す。
【００７２】
尚、デューティ比ＤＴＹは、予めＲＯＭに記憶されてなるデューティ比マップに、ポンプ回転数Ｒｐに対応付けられる形で設定されており、ＥＣＵ１００は、当該デューティ比マップから、決定された目標回転数ＲｐＢに対応する一のデューティ比ＤＴＹを選択的に取得することにより、デューティ比ＤＴＹを決定する。
【００７３】
一方、ステップＳ１０３に係る判別処理において注水モードが選択された旨の判別がなされた場合（ステップＳ１０３：ＹＥＳ）、ＥＣＵ１００は、注水モードに対応する電動Ｗ／Ｐ３１０のポンプ回転数Ｒｐの目標値である目標回転数ＲｐＡを決定する（ステップＳ１０４）。
【００７４】
ここで、図５を参照し、目標回転数ＲｐＡの詳細について説明する。ここに、図５は、目標回転数ＲｐＡの特性を概念的に表してなる概略構成図である。
【００７５】
図５において、縦軸及び横軸には、夫々目標回転数ＲｐＡ及び機関回転数ＮＥ又はアクセル開度Ａｃｃが配される。目標回転数ＲｐＡは、機関回転数ＮＥの低い（例えば、１０００ｒｐｍ程度の）、又はアクセル開度Ａｃｃの小さい運転領域において、電動Ｗ／Ｐ３１０がストールしない程度に低い下限値ＲｐＡ１を採り、それ以上の領域において機関回転数ＮＥ又はアクセル開度Ａｃｃに対しリニアに増加する特性を有する。ＥＣＵ１００のＲＯＭには、予め図５に示す特性に対応するマップが格納されており、図３のステップＳ１０４に係る処理において、ＥＣＵ１００は、機関回転数ＮＥ又はアクセル開度Ａｃｃの値に対応する目標回転数ＲｐＡを選択的に取得することによって目標回転数ＲｐＡを決定する。
【００７６】
尚、図５に示すような目標回転数の特性は、例えばエンジン２００のクランクシャフト２０５等の回転に伴って回転駆動され得る機械式のポンプと言わば同等の回転特性であり、定性的にみれば機関回転数及び負荷のうち一方が高い場合にポンプ回転数Ｒｐが高くなるように付与される特性である。従って、上述した省燃費モードにおいて、機関回転数ＮＥ及びアクセル開度Ａｃｃに基づいて電力資源をより効率的に利用し得るように定められる目標回転数ＲｐＢに較べれば、目標回転数ＲｐＡは総じて高い値となる。
【００７７】
このように目標回転数ＲｐＡは目標回転数ＲｐＢと較べて高い値を採るため、注水モードにおいては、電力資源の利用効率は必ずしも最適化されないが、その反面、電動Ｗ／Ｐ３１０における冷却水の吐出量が相対的に増加するため、例えば冷却水を貯留するリザーバ（図１では不図示）や、総じて複雑な物理形状を採り易い冷却水循環路３２０に対し効果的に且つ効率的に注水を行うことが可能となる。即ち、電動Ｗ／Ｐ３１０のポンプ回転数Ｒｐが、注水モードに従って決定される目標回転数ＲｐＡに制御された場合には、冷却水の注水性が向上する。
【００７８】
図３に戻り、目標回転数ＲｐＡを決定すると、ＥＣＵ１００は、処理をステップＳ１０６に移行し、省燃費モードの実行時と同様に、目標回転数ＲｐＡに対応するデューティＤＴＹを決定し、電動Ｗ／Ｐ３１０のポンプ回転数Ｒｐが係る目標回転数ＲｐＡとなるように電動Ｗ／Ｐ３１０を制御することによって電動Ｗ／Ｐ３１０を通常運転する。
【００７９】
このようにして電動Ｗ／Ｐ３１０が少なくとも一時的に通常運転されると、ＥＣＵ１００は次に、エア噛みフラグＦＧがオンに設定されているか否かを判別する（ステップＳ１０７）。ここで、エア噛みフラグＦＧは、電動Ｗ／Ｐ３１０において、注水に伴うエア噛みが生じていると推定される場合にオンとなるフラグであり、吐出量制御処理と並行してＥＣＵ１００により実行されるエア噛み検出処理によって適宜に設定される。ここで、図６を参照して、エア噛み検出処理の詳細について説明する。ここに、図６は、エア噛み検出処理のフローチャートである。
【００８０】
図６において、ＥＣＵ１００は、注水ボタン４００を介して注水モードが選択されているか否かを判別する（ステップＳ２０１）。即ち、この処理は、吐出量制御処理におけるステップＳ１０３に係る処理と同等な処理である。
【００８１】
注水モードが選択されていない場合（ステップＳ２０１：ＮＯ）、ＥＣＵ１００は、無条件にエア噛みフラグＦＧをオフに設定する（ステップＳ２０６）。
【００８２】
一方で、注水モードが選択されている場合（ステップＳ２０１：ＹＥＳ）、ＥＣＵ１００は、吐出量制御処理において決定される目標回転数ＲｐＡを取得する（ステップＳ２０２）。続いて、ＥＣＵ１００は、回転センサ３１１から電動Ｗ／Ｐ３１０のポンプ回転数Ｒｐ（即ち、本発明に係る「実回転数」の一例）を取得する（ステップＳ２０３）。
【００８３】
実回転数Ｒｐを取得すると、ＥＣＵ１００は、回転数偏差ΔＲｐを算出すると共に、係る回転数偏差ΔＲｐが所定の閾値ΔＲｐｔｈよりも大きいか否かを判別する（ステップＳ２０４）。ここで、回転数偏差ΔＲｐは、ポンプ回転数Ｒｐから目標回転数ＲｐＡを減算してなる値である。
【００８４】
エア噛みが発生している場合、冷却水と空気との粘性抵抗の差異に起因して、より具体的にはエア噛み発生時にはモータの回転を阻害する粘性抵抗が減少するために、ポンプ回転数Ｒｐは、目標回転数ＲｐＡよりも高くなり易い。従って、電動Ｗ／Ｐ３１０の実回転数が目標回転数からどの程度乖離しているかを表し得る回転数偏差ΔＲｐは、エア噛みの度合いを判断する指標として利用することができる。ＥＣＵ１００は、回転数偏差ΔＲｐが閾値ΔＲｐｔｈ以下である場合（ステップＳ２０４：ＮＯ）、エア噛みが生じていないものとしてエア噛みフラグＦＧをオフに設定する（ステップＳ２０６）。
【００８５】
一方、回転数偏差ΔＲｐが閾値ΔＲｐｔｈよりも大きい場合（ステップＳ２０４：ＹＥＳ）、ＥＣＵ１００は、電動Ｗ／Ｐ３１０にエア噛みが生じているものとして、エア噛みフラグＦＧをオンに設定する（ステップＳ２０５）。エア噛みフラグＦＧが設定されると、ＥＣＵ１００は処理をステップＡ２０１に戻し、一連の処理を繰り返し実行する。
【００８６】
尚、ここでは、回転数偏差ΔＲｐが、例えば予め実験的に、経験的に、理論的に或いはシミュレーション等に基づいてエア噛みの発生を少なくとも実践上不具合（例えば、エア噛みが生じている又は生じると推定され得るにもかかわらずエア噛みが生じていない又は生じると推定し得ない旨の判断が行われる事態、或いは、エア噛みが生じていない又はエア噛みが生じないと推定され得るにもかかわらずエア噛みが生じている又は生じると推定され得る旨の判断が行われる事態等）を顕在化させない程度に判別し得るように設定されてなる閾値ΔＲｐｔｈよりも大きい場合にエア噛みが生じている旨の判別がなされるが、エア噛みの発生に係る判別の態様はこれに限定されない。例えば、ＥＣＵ１００は、回転数センサΔＲｐが閾値ΔＲｐｔｈ或いは閾値ΔＲｐｔｈとは異なる他の閾値よりも大きい状態が所定の許容時間以上継続してなる場合に、エア噛みが生じている旨の判別を行ってもよい。
【００８７】
図３に戻り、エア噛みフラグＦＧがオフである場合（ステップＳ１０７：ＮＯ）、ＥＣＵ１００は、処理をステップＳ１０３に移行し、一連の処理を繰り返す。この際、注水モードが継続していれば、ポンプ回転数Ｒｐは目標回転数ＲｐＡとなるように、また注水モードが終了していればポンプ回転数Ｒｐは目標回転数ＲｐＢとなるように夫々制御される。
【００８８】
一方、エア噛みフラグＦＧがオンに設定されている場合（ステップＳ１０７：ＹＥＳ）、ＥＣＵ１００は、エア噛みによる電動Ｗ／Ｐ３１０の不具合、例えばモータにおける回転軸や軸受け等の焼き付きを防止するため、電動Ｗ／Ｐ３１０を間欠運転する（ステップＳ１０８）。
【００８９】
ここで、図７を参照し、間欠運転の詳細について説明する。ここに、図７は、間欠運転時における電動Ｗ／Ｐ３１０のデューティ比ＤＴＹの時間特性を表す特性図である。
【００９０】
図７において、縦軸及び横軸には夫々デューティ比ＤＴＹ及び時刻が表される。図７から明らかなように、本実施形態において間欠運転がなされる場合、電動Ｗ／Ｐ３１０を稼働させる稼働期間（例えば、図示時刻Ｔ１〜Ｔ２、Ｔ３〜Ｔ４、Ｔ５〜Ｔ６、Ｔ７〜Ｔ８、及びＴ９〜Ｔ１０に相当する期間）と、電動Ｗ／Ｐ３１０を停止させる停止期間（即ち、デューティ比がゼロに設定される期間であり、図示時刻０〜Ｔ１、Ｔ２〜Ｔ３、Ｔ４〜Ｔ５、Ｔ６〜Ｔ７及びＴ８〜Ｔ９に相当する期間）とが、交互に訪れるように電動Ｗ／Ｐ３１０が制御される。
【００９１】
本実施形態において、この稼働期間と停止期間とは相互に同じ長さであり、相互に隣接する一の稼働期間と一の停止期間とによって規定される期間を便宜的に「ターン」と表現すると、図示するように時間ΔＴｂａｓｅ毎にターンが繰り返される構成となっている。また、５ターン分に相当する時間ΔＴが経過すると、一回の間欠運転が終了する構成となっている。
【００９２】
ここで特に、各ターンを、図７における左から順に第１ターン、第２ターン、第３ターン、第４ターン及び第５ターンと表現すると、第ｎターンの稼働期間に対応するデューティ比ＤＴＹｎ（ｎ＝１，２，・・・，５）の大きさは、ＤＴＹｎ＞ＤＴＹｎ−１（ｎ＝２，３，４，５）であり、一回の間欠運転中において、デューティ比ＤＴＹは時間の経過と共に漸増するように設定される。
【００９３】
尚、間欠運転中におけるデューティ比ＤＴＹは、各ターンで相互に等しくてもよい。この場合も、注水時における電動Ｗ／Ｐ３１０の保護が実践上十分に担保される。また、間欠運転中は、稼働期間と停止期間が例えば交互に訪れるから、電動Ｗ／Ｐ３１０から吐出される冷却水の脈動が生じ易く、上述した冷却装置３００の性能回復も十分に図られる。
【００９４】
尚、間欠運転中における各ターンの長さ、及び各ターン内における稼働期間と停止期間との比率は、例えばエア噛みの度合い等に応じて可変であってもよい。エア噛みの度合いは、例えば、上述した回転数偏差ΔＲｐの大きさに応じて、予め複数段階に或いは連続的に設定されていてもよい。
【００９５】
図３に戻り、ＥＣＵ１００は、Ｗ／Ｐ３１０を間欠運転すると、前述した一回の間欠運転が終了したか否かを判別する（ステップＳ１０９）。一回の間欠運転が継続中である場合（ステップＳ１０９：ＮＯ）、ＥＣＵ１００は、ステップＳ１０８に係る処理を繰り返し実行すると共に、一回の間欠運転が終了した場合（ステップＳ１０９：ＹＥＳ）、ＥＣＵ１００は、処理をステップＳ１０３に戻す。この際、エア噛み検出処理においてエア噛みが解消された旨の判別がなされれば、即ち、エア噛みフラグＦＧがオフに設定されれば、再び目標回転数ＲｐＡに従った通常運転がなされ、エア噛みが解消された旨の判別がなされなければ、再び間欠運転が実行される。吐出量制御処理は以上の如く実行される。
【００９６】
このような間欠運転がなされた場合、先ず、稼働期間と停止期間とが交互に訪れることによって、電動Ｗ／Ｐ３１０を相対的にみて冷却することが可能となり、エア噛みによる、例えばモータ周辺部等の焼き付き等、各種不具合の発生を防止することが可能となる。また、電動Ｗ／Ｐ３１０が稼働状態にある期間は、上述した通常運転と較べて短くなるから、電力資源を効率的に利用し、燃費の向上を図ることも可能となる。尚、例えば電動Ｗ／Ｐ３１０の保護を優先する場合には顕著に、稼働期間と停止期間とは相互に同じ長さに設定されずともよく、例えば稼働期間数秒に対し停止期間が数十秒程度設けられていてもよい。
【００９７】
更に、本実施形態では、間欠運転中におけるデューティ比ＤＴＹが、省燃費モード及び注水モードにおける目標回転数ＲｐＢ及びＲｐＡ各々に対応するデューティ比とは異なり、予め間欠運転に適するものとして設定され、例えばＲＯＭ等に格納されてなる例えば固定値に設定される。この際、上述したように間欠運転中にデューティ比が漸増されるため、電動Ｗ／Ｐ３１０の保護を図りつつ、このデューティ比が漸増される過程において、即ち、いずれかのターンにおいて、エア噛みの要因となっている空気溜り等が除去される可能性が相対的に高くなる。即ち、間欠運転がこのようになされる場合には、電動Ｗ／Ｐ３１０の保護及び電力資源の有効利用に加えて、冷却装置３００の性能回復が積極的に図られることになり、実践上極めて有益である。
【００９８】
本発明は、上述した実施例に限られるものではなく、請求の範囲及び明細書全体から読み取れる発明の要旨或いは思想に反しない範囲で適宜変更可能であり、そのような変更を伴う冷却制御装置もまた本発明の技術的範囲に含まれるものである。
【図面の簡単な説明】
【００９９】
【図１】本発明の一実施形態に係る車両の構成を概念的に表してなる概略構成図である。
【図２】図１の車両におけるエンジンの模式図である。
【図３】図１の車両においてＥＣＵにより実行される吐出量制御処理のフローチャートである。
【図４】吐出量制御処理において決定される目標回転数ＲｐＢを規定するマップを概念的に表してなる模式図である。
【図５】吐出量制御処理において決定される目標回転数ＲｐＡの特性を概念的に表してなる概略構成図である。
【図６】図１の車両においてＥＣＵにより実行されるエア噛み検出処理のフローチャートである。
【図７】吐出量制御処理において実行される間欠運転時におけるデューティ比ＤＴＹの時間特性を表す特性図である。
【符号の説明】
【０１００】
１０…車両、１００…ＥＣＵ、２００…エンジン、３００…冷却装置、３１０…電動Ｗ／Ｐ、３２０…冷却水循環路、３３０…サーモスタット、３４０…分岐管、３５０…ラジエータ、３６０…分岐管、４００…注水ボタン。
【図１】
2008184996.tif 000003
【図２】
2008184996.tif 000004
【図３】
2008184996.tif 000005
【図４】
2008184996.tif 000006
【図５】
2008184996.tif 000007
【図６】
2008184996.tif 000008
【図７】
2008184996.tif 000009